【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
ディスプレイの表示画面に表示される内容を、ユーザの操作にしたがってスクロールさせる表示スクロール方法において、
上記表示画面上のポインタがドラッグを開始したとき、そのポインタ位置と所定の基準点との間の距離から、上記ポインタの単位移動量に対する上記スクロールのスクロール量を算出し、
上記表示される内容を、上記ポインタの移動方向にしたがった方向に、上記算出されたスクロール量だけスクロールさせて表示する
ようにした表示内容のスクロール方法。
【請求項２】
請求項１に記載の表示内容のスクロール方法において、
上記基準点が上記表示画面に表示された円の中心であり、
上記ポインタの移動方向が上記円の内部における円周方向である
ようにした表示内容のスクロール方法。
【請求項３】
請求項２に記載の表示内容のスクロール方法において、
上記ポインタ位置と上記基準点との間の距離が大きくなるほど、上記ポインタの単位移動量に対する上記スクロールのスクロール量を小さくする
ようにした表示内容のスクロール方法。
【請求項４】
請求項１に記載の表示内容のスクロール方法において、
上記内容をスクロールさせるとき、立体的にスクロールさせる
ようにした表示内容のスクロール方法。
【請求項５】
請求項１に記載の表示内容のスクロール方法において、
上記ポインタは、タッチパッドの操作に対応して表示される
ようにした表示内容のスクロール方法。
【請求項６】
ディスプレイの表示画面に表示される内容を、ユーザの操作にしたがってスクロールさせる装置において、
ポインティングデバイスと、
このポインティングデバイスの操作に対応して上記表示画面に表示されるポインタがドラッグを開始したとき、そのポインタ位置と所定の基準点との間の距離から、上記ポインタの単位移動量に対する上記スクロールのスクロール量を算出する算出手段と、
上記表示される内容を、上記ポインタの移動方向にしたがった方向に、上記算出されたスクロール量だけスクロールさせて表示する表示手段と
を有する表示内容のスクロール装置。
【請求項７】
請求項６に記載の表示内容のスクロール装置において、
上記基準点が上記表示画面に表示された円の中心であり、
上記ポインタの移動方向が上記円の内部における円周方向である
ようにした表示内容のスクロール装置。
【請求項８】
請求項６に記載の表示内容のスクロール装置において、
上記ポインティングデバイスがタッチパッドである
ようにした表示内容のスクロール装置。
【請求項９】
コンピュータにより読み出されて、ディスプレイの表示画面に表示される内容を、ユーザの操作にしたがってスクロールさせるプログラムであって、
そのプログラムは、
ポインティングデバイスの操作に対応して上記表示画面に表示されるポインタがドラッグを開始したとき、そのポインタ位置と所定の基準点との間の距離から、上記ポインタの単位移動量に対する上記スクロールのスクロール量を算出する算出ステップと、
上記表示される内容を、上記ポインタの移動方向にしたがった方向に上記算出されたスクロール量だけスクロールさせて表示する表示ステップと
を、コンピュータに実行させるための表示内容のスクロールプログラム。
【手続補正２】
【補正対象書類名】明細書
【補正対象項目名】０００３
【補正方法】変更
【補正の内容】
【０００３】
このウィンドウシステムにおいては、ディスプレイの画面に表示される内容の面積が、ディスプレイの表示領域（表示窓）より大きくても、その表示内容をスクロールさせることにより、適切に表示できるようにしている。そして、そのようなスクロール表示を実現する方法として、例えば以下の技術がある。すなわち、
(A) スクロールバー
(B) ドラッグスクロール
(C) キープスクロール
これらの場合、例えば図１３に示すように、符号５０が表示領域（表示窓）であり、符号６０が表示内容であるとすると、表示領域５０には、ちょうど窓越しに表示内容６０を見た場合のように、表示内容の６０の一部が表示される。ここで、表示内容６０としては、地図や写真などの静止画、動画、文書、表、住所録などのコンテンツがあるが、さらに、それらコンテンツのサムネイル画像（以下、単に「サムネイル」と呼ぶ）を集めた画像などの場合である。
【手続補正３】
【補正対象書類名】明細書
【補正対象項目名】００１６
【補正方法】変更
【補正の内容】
【００１６】
この発明においては、
ディスプレイの表示画面に表示される内容を、ユーザの操作にしたがってスクロールさせる表示スクロール方法において、
ポインティングデバイスのポインタがドラッグを開始したとき、そのポインタ位置と所定の基準点との間の距離から、上記ポインタの単位移動量に対する上記スクロールのスクロール量を算出し、
上記表示される内容を、上記ポインタの移動方向にしたがった方向に、上記算出されたスクロール量だけ上記内容をスクロールさせて表示する
ようにした表示内容のスクロール方法
とするものである。
【手続補正４】
【補正対象書類名】明細書
【補正対象項目名】００１８
【補正方法】変更
【補正の内容】
【００１８】
〔１〕  この発明の概要
図１は、この発明における表示例を示し、この例においては、表示内容がＣＤのジャケット画像のサムネイルの場合である。そして、そのサムネイルを該当するＣＤの発売年代順に並べるとともに、そのサムネイルをユーザの操作にしたがって左右にスクロールさせて目的とするサムネイルを表示できるようにした場合である。
【手続補正５】
【補正対象書類名】明細書
【補正対象項目名】００２０
【補正方法】変更
【補正の内容】
【００２０】
そして、この表示領域１０の例えば上部に、表示内容２０が表示される。図１においては、表示内容２０は、複数のＣＤのジャケット画像のサムネイル２１の集まりであり、このサムネイル２１が左から右へとＣＤの発売年代順に並んで表示内容２０を形成している。このとき、サムネイル２１の数が多いので（多ければ）、表示領域１０に表示されるサムネイル２１は一部のものだけとなり、残りは表示領域１０の外に位置して表示されない。図１においては、サムネイル２１のうち、表示領域１０の中に表示されないサムネイルは破線により示している。
【手続補正６】
【補正対象書類名】明細書
【補正対象項目名】００４１
【補正方法】変更
【補正の内容】
【００４１】
さらに、システムバス１１１には、大容量のストレージとしてハードディスク装置１０４が接続されている。この場合、ハードディスク装置１０４には、このパーソナルコンピュータ１００を機能させるためのＯＳと、〔１〕により説明したサムネイルの表示を実現するためのプログラムとが蓄積されているとともに、さらに、楽曲として再生されるデジタルオーディオデータおよびその楽曲のジャケット画像をサムネイル２１として表示する画像データとが蓄積されている。
【手続補正７】
【補正対象書類名】明細書
【補正対象項目名】００４６
【補正方法】変更
【補正の内容】
【００４６】
すなわち、ルーチン２００の実行を指示すると、ＣＰＵ１０１の処理がルーチン２００のステップ２０１からスタートし、次にステップ２０２において、初期設定が行われる。この初期設定としては、ハードディスク装置１０４から所定の画像データを読み出して表示制御回路１０７に供給し、ディスプレイ１２２に表示領域１０およびスクロールダイヤル３１を表示するとともに、例えば、ハードディスク装置１０４に蓄積されているサムネイル２１の画像データを読み出して表示制御回路１０７に供給し、この結果、ディスプレイ１２２に例えば図１に示すようにサムネイル２１をＣＤの発売年代順に表示する処理が含まれる。
【手続補正８】
【補正対象書類名】明細書
【補正対象項目名】００６５
【補正方法】変更
【補正の内容】
【００６５】
〔３−２〕  表示の例（その１）
図１０に示す例においては、スクロールダイヤル３１自体が大きく表示され、このスクロールダイヤル３１上に、３つの表示内容２０Ａ〜２０Ｃが三重に表示される場合である。この場合、第１の表示内容２０Ａは、複数のサムネイル２１Ａが、スクロールダイヤル３１の外周に近い円周に沿って環状に配列されるとともに、その円周の中心軸がスクロールダイヤル３１の回転軸に一致した状態とされ、かつ、その１周分のサムネイル２１Ａがスクロールダイヤル３１上に配列されているかのように表示される。
【手続補正９】
【補正対象書類名】明細書
【補正対象項目名】００６７
【補正方法】変更
【補正の内容】
【００６７】
したがって、スクロールダイヤル２１をまわしていくと、その円状に配列されたサムネイル２１Ａ〜２１Ｃが円周方向にスクロールされて順に見えていくことになる。
【手続補正１０】
【補正対象書類名】明細書
【補正対象項目名】００６９
【補正方法】変更
【補正の内容】
【００６９】
したがって、スクロールダイヤル３１の外周付近で、スクロールダイヤル３１をまわす操作をしたときは、細かくスクロールができ、中心付近でまわす操作をしたときは、高速で大まかなスクロールができる。また、表示内容２０であるサムネイル２１を円状に配列しているので、見掛け上、無限の長さの表示内容２０とすることができる。
【手続補正１１】
【補正対象書類名】明細書
【補正対象項目名】００７０
【補正方法】変更
【補正の内容】
【００７０】
〔３−３〕  表示の例（その２）
図１１に示す例においては、横長の表示内容２０を立体的に表示した場合である。すなわち、複数のサムネイル２１が横方向に帯状に配列されて表示内容２０が構成され、表示領域１０の左後方から正面前方に至り、さらに、右後方に至るかのように、あるいは逆に、表示領域１０の右後方から正面前方に至り、さらに、左後方に至るかのように、表示されている。このとき、中央のサムネイル２１は、正面に対して平行であるが、その左右のサムネイル２１、２１は中央から離れるほど小さく表示されている。
【手続補正１２】
【補正対象書類名】明細書
【補正対象項目名】００７５
【補正方法】変更
【補正の内容】
【００７５】
さらに、上述においては、表示内容２０のサムネイル２１が、ＣＤのジャケット画像の場合であるとしたがが、年表、書籍の表紙、各種の資料、プライベートな写真、静止画、動画、ネットワーク１３１を通じてダウンロードができる楽曲などコンテンツのサムネイルなどとすることもできる。そして、それらの場合、目的とするサムネイル２１をクリックしたとき、そのサムネイル２１を与えているコンテンツ（本体）を本来の大きさで表示したり、ダウンロードをしたりすることもできる。